(57)【要約】      （修正有）【課題】測定値とそれに関連する情報とが統合されたデータを、簡易な構成で容易に生成することを可能とする測定情報統合装置を提供する。【解決手段】測定機により測定中の対象物とその測定値が表示された測定機とを含む画像を撮像する撮像部１１０と、撮像部１１０による撮像画像から測定値を読み取る測定値読取手段１２０と、表示部１４０と、撮像画像に含まれる対象物及び測定機の周囲に、測定値及び測定値に関連する所定の情報を重畳させて、表示部１４０に表示させる表示制御手段１３０と、表示部１４０に表示された画像をキャプチャして画像データを生成するとともに、所定の情報のうち所定の一部を拡張情報として抽出し、画像データに拡張情報を付した統合データを生成する統合データ生成手段１５０と、を備える。【選択図】図１
2019211951.tif 000002
【特許請求の範囲】
【請求項１】
測定機により測定中の対象物とその測定値が表示された前記測定機とを含む画像を撮像する撮像部と、
前記撮像部による撮像画像から前記測定値を読み取る測定値読取手段と、
表示部と、
前記撮像画像に含まれる前記対象物及び前記測定機の周囲に、前記測定値及び前記測定値に関連する所定の情報を重畳させて、前記表示部に表示させる表示制御手段と、
前記表示部に表示された画像をキャプチャして画像データを生成するとともに、前記所定の情報のうち所定の一部を拡張情報として抽出し、前記画像データに前記拡張情報を付した統合データを生成する統合データ生成手段と、
を備える測定情報統合装置。
【請求項２】
頭部への装着により前記表示部が装着者の目に対向し、前記装着者の身体の動作により前記撮像部による撮像範囲が変化するように構成された請求項１に記載の測定情報統合装置。
【請求項３】
コンピュータを請求項１又は２に記載の測定情報統合装置の各手段として機能させるためのプログラム。
【発明の詳細な説明】
【技術分野】
【０００１】
本発明は、測定値とそれに関連する情報とが統合されたデータを生成する測定情報統合装置及びプログラムに関する。
【背景技術】
【０００２】
測定機により対象物を測定した場合、その測定の正当性の評価や測定結果の事後的な対比などのため、測定に関連する情報が測定値とともに管理されることが多い。
【０００３】
測定値とともに管理される関連情報としては、例えば、測定日時、測定者、使用機器、対象物及び測定部分、並びに設計値・規格値及びそれに対する合否などが挙げられる。
【０００４】
これらの関連情報は、ファイル名をもとに測定値と関連させて管理したり、表計算ソフトやリレーショナルデータベースなどの汎用のソフトウェアや専用のソフトウェアなどを用いて管理したりするのが一般的である。
【発明の概要】
【発明が解決しようとする課題】
【０００５】
ファイル名に基づき管理する場合、ファイルの保管方法やファイル名の付与に規則性が必要であり、かつ、その規則性の下で検索を行うスキルを利用者が有している必要がある。また、ソフトウェアを用いる管理方法の場合、管理情報の閲覧のためにはソフトウェアを起動する必要があること、ソフトウェアを簡易に構成すると情報の管理や検索に技術を要し、使い勝手をよくしようとするとコストがかかることなどの問題がある。
【０００６】
本発明の目的は、測定値とそれに関連する情報を容易に閲覧することを可能とし、かつ情報の検索も容易に可能とする測定情報統合装置及びプログラムに関する。
【課題を解決するための手段】
【０００７】
本発明の測定情報統合装置は、測定機により測定中の対象物とその測定値が表示された測定機とを含む画像を撮像する撮像部と、撮像部による撮像画像から測定値を読み取る測定値読取手段と、表示部と、撮像部による撮像画像の一例を表示制御手段と、表示部に表示された画像をキャプチャして画像データを生成するとともに、所定の情報のうち所定の一部を拡張情報として抽出し、画像データに拡張情報を付した統合データを生成する統合データ生成手段と、を備える。
【０００８】
本発明の測定情報統合装置は、頭部への装着により表示部が装着者の目に対向し、装着者の身体の動作により撮像部による撮像範囲が変化するように構成してもよい。
【０００９】
以上の各手段の機能は、プログラムに記述してコンピュータに実行させることにより実現してもよい。
【発明の効果】
【００１０】
本発明の測定情報統合装置によれば、測定値とそれに関連する情報を一覧可能な画像データとその拡張情報とからなる統合データを容易に生成することができる。これにより、対象の測定に係る統合データを抽出するだけで、当該測定における測定値とそれに関連する情報を容易に閲覧することができる。また、それぞれの統合データ内にそれぞれの測定に係る拡張情報を含むため、情報の検索や分析を容易に行うことができる。更に、構成が簡易であるため、低コストで実現することができる。
【図面の簡単な説明】
【００１１】
【図１】本発明の測定情報統合装置の機能ブロック図である。
【図２】撮像部による撮像画像の例を示す図である。
【図３】表示部への撮像画像、測定値及び所定の情報の表示例を示す図である。
【図４】撮像部による撮像画像の別の例を示す図である。
【図５】表示部への撮像画像、測定値及び所定の情報の別の表示例を示す図である。
【図６】各手段の機能が記述されたプログラムをＣＰＵで実行することにより各手段の機能を実現する本発明の測定情報統合装置１００の構成例を示す図である。
【発明を実施するための形態】
【００１２】
以下、本発明の実施形態を、図面を参照しつつ説明する。なお、以下の説明では、同一の部位には同一の符号を付し、一度説明した部位については適宜その説明を省略する。
【００１３】
＜第１実施形態＞
図１は本発明の測定情報統合装置１００の機能ブロック図である。測定情報統合装置１００は、撮像部１１０、測定値読取手段１２０、表示制御手段１３０、表示部１４０及び統合データ生成手段１５０を備える。
【００１４】
撮像部１１０は、測定機により測定中の対象物とその測定値が表示された測定機とを含む画像を撮像する。
【００１５】
測定値読取手段１２０は、撮像部１１０による撮像画像から測定値を読み取る。画像からの測定値の読み取りは、任意の技術（例えば、特開２０１６−１８６４３９号公報に開示の技術など）により行ってよい。
【００１６】
表示制御手段１３０は、撮像画像を表示部１４０に表示させる。このとき、撮像画像に含まれる対象物及び測定機の周囲に、測定値読取手段１２０により読み取られた測定値と測定値に関連する所定の情報を重畳させて表示部１４０に表示させる。
【００１７】
測定値に関連する情報としては、測定日時、測定者、使用機器、対象物及び測定部分、並びに設計値・規格値及びそれに対する合否などが挙げられる。このような様々な関連情報の中から適宜選択したいくつかの情報を、所定の情報として表示部１４０に表示させる。
【００１８】
撮像部１１０による撮像画像ＩＭの一例を図２に示す。この例では、撮像画像ＩＭには、測定機Ｔに対象物Ｗがセットされ、測定機Ｔの測定値表示部Ｄに測定値が表示されている。
【００１９】
図３は、撮像画像ＩＭにおける対象物Ｗ及び測定機Ｔの周囲に、測定値ＭＶ並びに所定の情報である測定日時情報Ｒ１及び機種情報Ｒ２を重畳させて、表示部１４０に表示させた例を示す図である。
【００２０】
測定日時情報Ｒ１は例えば、測定情報統合装置１００が時計機能を備えるコンピュータにより実現されている場合には、表示制御手段１３０は当該時計機能から取得することができる。
【００２１】
機種情報Ｒ２は測定機Ｔの機種である。測定機Ｔの機種の特定方法は任意である。例えば、予め複数の機種の測定機の画像やＣＡＤモデルを記憶部１６０に用意しておき、これらと測定機Ｔの画像とを照合して、特徴点の共通性などから特定することができる。
【００２２】
対象物Ｗが物品ＷＡの一部（例えば対象物Ｗがナット、物品ＷＡがボルトとナットの組）である場合、撮像部１１０による測定機Ｔ及び対象物Ｗの撮像の際に、例えば図４に示すように更に物品ＷＡを撮像しておくと、表示制御手段１３０により表示部１４０に表示させる測定値に関連する情報のバリエーションを、図５に示すように増やすことができる。
【００２３】
例えば、予め複数の種類のボルトとナットの組の画像やＣＡＤモデルを記憶部１６０に用意しておく。また、各種類に対応させて、設計図や測定手順図や設計値（規格値）についても記憶部１６０に記憶させておく。
【００２４】
これに前提に、複数の種類のボルトとナットの組の画像やＣＡＤモデルと物品ＷＡの画像とを照合することで、特徴点の共通性などから、ボルトとナットの組の種類を特定することができる。
【００２５】
また、特定されたボルトとナットの組の種類に基づき記憶部１６０を検索して、設計図Ｒ３を表示させることができる。
【００２６】
更に、ボルトとナットの組の種類と撮像画像ＩＭに基づき記憶部１６０を検索して、該当する測定手順図Ｒ４や設計値（規格値）Ｒ５を表示させることができる。
【００２７】
統合データ生成手段１５０は、表示部１４０に表示された画像をキャプチャして画像データを生成するとともに、所定の情報のうち所定の一部を拡張情報として抽出し、画像データに拡張情報を付した統合データを生成して出力する。抽出する拡張情報は、画像データに付すことができる数値や文字のデータであれば、検索の用途に応じて任意に決定してよい。また、画像データに拡張情報を付す方法も任意であり、例えば、画像データファイルが備えるメタデータ領域に格納する方法を採ってもよいし、画像データ自体に人が知覚できない形で埋め込む電子透かしなどの方法を採ってもよい。
【００２８】
以上のように構成した測定情報統合装置１００によれば、測定値とそれに関連する情報を一覧可能な画像データと拡張情報とからなる統合データを容易に生成することができる。これにより、対象の測定に係る統合データを抽出するだけで、当該測定における測定値とそれに関連する情報を容易に閲覧することができる。また、それぞれの統合データにそれぞれの測定に係る拡張データを含むため、情報の検索や分析を容易に行うことができる。更に、構成が簡易であるため、低コストで実現することができる。
【００２９】
＜第２実施形態＞
測定情報統合装置１００の各手段の機能は、プログラムに記述してコンピュータに実行させることにより実現してもよい。
【００３０】
各手段の機能をプログラムに記述しコンピュータに実行させて実現する場合の測定情報統合装置１００の構成例を図６に示す。
【００３１】
測定情報統合装置１００は、例えば、ＣＰＵ１０１、撮像部１１０、表示部１４０、記憶部１６０及び通信部１０２を備える。
【００３２】
ＣＰＵ１０１は、記憶部１６０に記憶された各手段の機能が記述されたプログラムを実行し、測定情報統合装置１００の機能を実現する。記憶部１６０は、測定機の画像、対象物の画像、その他の表示部１４０に表示させたい情報や、プログラムを記憶する任意の記憶手段であり、例えば、ＨＤＤやフラッシュメモリ等の記憶媒体のほか、不揮発性メモリ、揮発性メモリなどを採用することができる。なお、記憶部１６０は、測定情報統合装置１００の装置内に設ける代わりに、通信部１０２を介して接続されたクラウドストレージを採用して実現してもよい。表示部１４０は、ＣＰＵ１０１の制御に従い各種の情報を表示する。通信部１０２は、無線ネットワーク又は有線ネットワークに接続するためのインタフェースであり、ＣＰＵ１０１の制御に従い、ネットワークに接続されたクラウドストレージなどとの間で情報の送受を行う。
【００３３】
なお、測定情報統合装置１００は、頭部への装着により表示部１４０が装着者の目に対向し、装着者の身体の動作により撮像部による撮像範囲が変化するように構成してもよい。例えば、コンピュータと撮像手段と透過型ディスプレイを備えるヘッドマウントディスプレイ装置として構成してもよい。これにより、測定者が装置を装着して測定作業をするだけで、自動的に測定値及び測定値に関連する情報の統合データを生成することができる。
【００３４】
本発明は、上記の各実施形態に限定されるものではない。各実施形態は例示であり、本発明の特許請求の範囲に記載された技術的思想と実質的に同一な構成を有し、同様な作用効果を奏するものは、いかなるものであっても本発明の技術的範囲に包含される。すなわち、本発明において表現されている技術的思想の範囲内で適宜変更が可能であり、その様な変更や改良を加えた形態も本発明の技術的範囲に含む。
【符号の説明】
【００３５】
１００…測定情報統合装置
１０１…ＣＰＵ
１０２…通信部
１１０…撮像部
１２０…測定値読取手段
１３０…表示制御手段
１４０…表示部
１５０…統合データ生成手段
１６０…記憶部
Ｄ…測定値表示部
ＩＭ…撮像画像
ＭＶ…測定値
Ｒ１…測定日時情報
Ｒ２…機種情報
Ｒ３…設計図
Ｒ４…測定手順図
Ｒ５…設計値（規格値）
Ｔ…測定機
Ｗ…対象物
ＷＡ…物品
【図１】
2019211951.tif 000003
【図２】
2019211951.tif 000004
【図３】
2019211951.tif 000005
【図４】
2019211951.tif 000006
【図５】
2019211951.tif 000007
【図６】
2019211951.tif 000008